(57)【要約】【課題】出没機構を簡易構造にできるとともに、ペン先没入状態でペン先側を下向きにして落下衝撃が加わった場合でもペン先の損傷を確実に回避できる出没式筆記具を提供する。【解決手段】可動部材４が軸筒２内に前後方向に移動可能に収容される。可動部材４と筆記体３とが連結される。可動部材４の側壁４１が径方向の弾発性を有する。可動部材４の側壁４１外面に操作部５が形成される。操作部５が、操作面５３と、薄肉部５２と、厚肉部５１とを備える。軸筒２の側壁が、第１の係止孔２２と、第２の係止孔２３と、第１の係止孔２２と前記第２の係止孔２３との間を連通する連通孔２４とを備える。ペン先没入状態において、第１の係止孔２２に厚肉部５１が挿通され、ペン先突出状態において、第２の係止孔２３に厚肉部５１が挿通され、ペン先没入状態とペン先突出状態との間の移行過程で、薄肉部５２が連通孔２４に挿通される。【選択図】  図１
2017114087.tif 000002
【特許請求の範囲】
【請求項１】
軸筒と、前記軸筒内に前後方向に移動可能に収容された筆記体と、前記軸筒内に収容され且つ前記筆記体を後方に付勢する弾発体と、前記弾発体の後方付勢に抗して筆記体を前方移動させることにより前記筆記体のペン先を前記軸筒の前端孔から突出状態にする出没機構とを備えた出没式筆記具であって、
前記出没機構が、軸筒内に前後方向に移動可能に収容される可動部材を備え、前記可動部材と前記筆記体とが連結され、前記可動部材が、径方向の弾発性を有する側壁を備え、前記可動部材の側壁外面に径方向外方に突出する操作部が形成され、前記操作部が、径方向外端面に形成される操作面と、前記操作面より径方向内方に形成される薄肉部と、前記薄肉部の径方向内方に連設される厚肉部とを備え、前記薄肉部の周方向の肉厚が前記厚肉部の周方向の肉厚より小さく形成され、
前記軸筒の側壁が、第１の係止孔と、前記第１の係止孔より前方に形成される第２の係止孔と、前記第１の係止孔と前記第２の係止孔との間を連通する連通孔とを備え、前記連通孔の周方向の幅寸法が、前記第１の係止孔の周方向の幅寸法及び前記第２の係止孔の周方向の幅寸法より小さく形成されてなり、
ペン先没入状態において、前記第１の係止孔に前記操作部の厚肉部が挿通され、ペン先突出状態において、前記第２の係止孔に前記操作部の厚肉部が挿通され、ペン先没入状態とペン先突出状態との間の移行過程で、前記操作部が径方向内方に変位され、前記薄肉部が前記連通孔に挿通され、前記操作部が前後方向に移動可能に構成されることを特徴とする出没式筆記具。
【請求項２】
前記操作部から前方にクリップ部が延設される請求項１記載の出没式筆記具。
【発明の詳細な説明】
【技術分野】
【０００１】
本発明は、出没式筆記具に関する。
【背景技術】
【０００２】
この種の出没式筆記具において、ペン先側を下向きにして落下衝撃が加わった際のペン先が損傷することを回避する目的で、筆記体を軸筒内に前後方向に移動可能に収容し、前記筆記体を後方に付勢する弾発体を前記軸筒内に収容し、弾発体の後方付勢に抗して筆記体を前方移動させることにより前記筆記体のペン先を前記軸筒の前端孔から突出状態にする出没機構を備えた出没式筆記具であって、前記軸筒内に環状の弾性体を配置し、前記軸筒内の弾性体の後方に環状の錘体を前後方向に移動可能に配置し、前記筆記体が前記弾性体の内孔及び前記錘体の内孔を貫通し、衝撃時、前記錘体が弾性体に衝突することによって前記弾性体が径方向に膨出し、筆記体の外面を弾性体が挟持可能に構成したことを特徴とする出没式筆記具が開示されている。
【先行技術文献】
【特許文献】
【０００３】
【特許文献１】特開２０１２−２３２４８３号公報
【発明の概要】
【発明が解決しようとする課題】
【０００４】
前記特許文献１の出没式筆記具は、錘体が弾性体を径方向に膨出することを利用する構成であるため、比較的弱い衝撃が加わった場合、弾性体が十分に膨出変形せず、筆記体を挟持する十分な力が発生しないため、ペン先の突出を十分に回避できないおそれがある。
【０００５】
本発明は、前記従来の問題点を解決するものであって、出没機構を簡易構造にできるとともに、ペン先没入状態でペン先側を下向きにして落下衝撃が加わった場合でもペン先の損傷を確実に回避できる出没式筆記具を提供しようとするものである。尚、本発明で、「前」とは、ペン先側を指し、「後」とは、その反対側を指す。本発明において、ペン先突出状態とは、ペン先が軸筒前端より外部に突出した状態を指し、ペン先没入状態とは、ペン先が軸筒内部に没入した状態を指す。
【課題を解決するための手段】
【０００６】
本願の第１の発明は、軸筒２と、前記軸筒２内に前後方向に移動可能に収容された筆記体３と、前記軸筒２内に収容され且つ前記筆記体３を後方に付勢する弾発体７と、前記弾発体７の後方付勢に抗して筆記体３を前方移動させることにより前記筆記体３のペン先３１を前記軸筒２の前端孔２１から突出状態にする出没機構とを備えた出没式筆記具であって、前記出没機構が、軸筒２内に前後方向に移動可能に収容される可動部材４を備え、前記可動部材４と前記筆記体３とが連結され、前記可動部材４が、径方向の弾発性を有する側壁４１を備え、前記可動部材４の側壁４１外面に径方向外方に突出する操作部５が形成され、前記操作部５が、径方向外端面に形成される操作面５３と、前記操作面５３より径方向内方に形成される薄肉部５２と、前記薄肉部５２の径方向内方に連設される厚肉部５１とを備え、前記薄肉部５２の周方向の肉厚が前記厚肉部５１の周方向の肉厚より小さく形成され、前記軸筒２の側壁が、第１の係止孔２２と、前記第１の係止孔２２より前方に形成される第２の係止孔２３と、前記第１の係止孔２２と前記第２の係止孔２３との間を連通する連通孔２４とを備え、前記連通孔２４の周方向の幅寸法が、前記第１の係止孔２２の周方向の幅寸法及び前記第２の係止孔２３の周方向の幅寸法より小さく形成されてなり、ペン先没入状態において、前記第１の係止孔２２に前記操作部５の厚肉部５１が挿通され、ペン先突出状態において、前記第２の係止孔２３に前記操作部５の厚肉部５１が挿通され、ペン先没入状態とペン先突出状態との間の移行過程で、前記操作部５が径方向内方に変位され、前記薄肉部５２が前記連通孔２４に挿通され、前記操作部５が前後方向に移動可能に構成されることを特徴とする。
【０００７】
前記第１の発明の出没式筆記具１は、前記形態を採用したことにより、出没機構を簡易構造にできるとともに、ペン先没入状態でペン先側を下向きにして落下衝撃が加わった場合でもペン先の損傷を確実に回避できる。
【０００８】
本願の第２の発明は、前記第１の出没式筆記具１において、前記操作部５から前方にクリップ部６が延設されることを特徴とする。
【０００９】
前記第２の発明の出没式筆記具１は、前記操作部５から前方にクリップ部６が延設されることにより、クリップ部６と操作部５とをそれぞれ別の位置に設ける必要がなくなり、部品数の増加を抑えるとともにスマートな外観性が得られる。
【発明の効果】
【００１０】
本発明の出没式筆記具は、出没機構を簡易構造にできるとともに、ペン先没入状態でペン先側を下向きにして落下衝撃が加わった場合でもペン先の損傷を確実に回避できる。
【図面の簡単な説明】
【００１１】
【図１】本発明の実施の形態のペン先没入状態を示す縦断面図である。
【図２】図１の軸筒の正面図である。
【図３】図１のＡ−Ａ線拡大断面図である。
【図４】図１のペン先突出状態を示す縦断面図である。
【図５】図４のＢ−Ｂ線拡大断面図である。
【図６】図１のペン先出没過程を示す縦断面図である。
【図７】図６のＣ−Ｃ線拡大断面図である。
【図８】図１の可動部材の斜視図である。
【図９】図６の要部拡大斜視図である。
【発明を実施するための形態】
【００１２】
本発明の実施の形態を図１乃至図８に示す。
本実施の形態の出没式筆記具１は、軸筒２と、軸筒２内に前後方向に移動可能に収容される筆記体３と、軸筒２内に収容され且つ前記筆記体３を後方に常時付勢する弾発体７（例えば圧縮コイルスプリング）と、軸筒２内に前後方向に移動可能に収容され且つ筆記体３の後端部に連結される可動部材４と、外部からの操作によって筆記体３のペン先３１を軸筒２の前端孔２１より出没させる出没機構とを備える。
【００１３】
・軸筒
前記軸筒２は、前端に前端孔２１が前後方向に貫設される。前記軸筒２の側壁には、第１の係止孔２２と、第１の係止孔２２より前方に形成される第２の係止孔２３と、第１の係止孔２２と第２の係止孔２３との間を連通する連通孔２４と、を備える。前記連通孔２４の周方向の幅寸法Ｗ３が、第１の係止孔２２の周方向の幅寸法Ｗ１及び前記第２の係止孔２３の周方向の幅寸法Ｗ２より小さく形成される。軸筒２の後端開口部の内面には、前後方向に延びるガイド溝２７が形成される。軸筒２の後端開口部には、尾栓２６が固着される。
【００１４】
・筆記体
前記筆記体３は、ボールペンレフィルであり、インキ収容管の前端に、ペン先３１としてボールペンチップが取り付けられる。前記ボールペンチップは、チップ本体の前端に回転可能にボールが抱持されている。前記インキ収容管の内部には、インキ（水性または油性インキ）と、前記インキの後端に充填され且つ前記インキの消費に伴い前進する追従体（例えば高粘度流体）が収容される。前記筆記体３の後端面（例えば、インキ収容管の後端面、またはインキ収容管の後端部に固着された尾栓の後端面）には連結部３２（例えば凹部）が形成される。
【００１５】
・弾発体
前記弾発体７は、圧縮コイルスプリングからなる。前記弾発体７は、前端が、軸筒２の前端部内面の当接部２５に係止され、他端が筆記体３の外面の肩部３３に係止される。
【００１６】
・可動部材
前記可動部材４は、合成樹脂の成形体により得られる。前記可動部材４は、縦断面コの字状に形成され、径方向の弾発性を有する２つの前後方向に延びる側壁４１・４２と、前記２つの側壁４１・４２の前端部に一体に連設される頂壁４３とを備える。前記頂壁４３の前面には、筆記体３の後端部の連結部３２に連結可能な被連結部４３ａ（例えば凸部）が一体に形成される。これ以外にも、前記筆記体３の後端部の連結部３２が凸部により形成され、前記頂壁４３の前面に形成する被連結部４３ａが凹部により形成される構成でもよい。前記連結部３２と前記被連結部４３ａとの連結構造は、落下衝撃等の前後方向の強い衝撃では連結状態が解除されない構造（例えば、螺合、係合等）が採用される。尚、前記可動部材４の縦断面形状が、Ｕ字状、Ｖ字状、Ｗ字状であってもよい。
【００１７】
・操作部
前記可動部材４の一方の側壁４１の後端部の外面には、径方向外方に突出する操作部５が一体に連設される。前記操作部５が、径方向外端面に形成される操作面５３と、前記操作面５３より径方向内方に形成され且つ周方向の肉厚が小さい薄肉部５２と、前記薄肉部５２の径方向内方に連設され且つ周方向の肉厚が大きい厚肉部５１とを備える。即ち、薄肉部５２の周方向の肉厚Ｔ２は、厚肉部５１の周方向の肉厚Ｔ１より小さい。前記操作部５の操作面５３より前方に、前後方向に延びるクリップ部６が一体に連設される。前記クリップ部６の径方向内面には、径方向内方に突出する玉部６１が一体に形成される。操作部５の操作面５３は、後方に向かうに従い径方向内方に向かう傾斜面からなり、それにより、傾斜面を径方向内方及び前方へ、容易に押圧操作することができる。
【００１８】
・支持部
前記可動部材４の他方の側壁４２の後端部の外面には、軸筒２内面に当接し且つ軸筒２内面と前後方向に摺動する径方向外方に突出する支持部４２ａが一体に連設される。支持部４２ａがガイド溝２７内を摺動する。
【００１９】
・出没機構
前記出没機構が、主に、操作部５を備えた可動部材４と、第１の係止孔２２、第２の係止孔２３及び連通孔２４を備えた軸筒２と、筆記体３を後方に付勢する弾発体７とからなる。ペン先没入状態において、第１の係止孔２２に操作部５の厚肉部５１が挿通される（図１）。ペン先突出状態において、第２の係止孔２３に操作部５の厚肉部５１が挿通される（図４）。ペン先没入状態とペン先突出状態との間の移行過程で、前記操作部５が径方向内方に変位され、前記薄肉部５２が前記連通孔２４に挿通され、前記操作部５が前後方向に移動可能に構成される（図６）。
【００２０】
ペン先没入状態（図１）から操作部５の操作面５３を径方向内方に押圧すると、操作部５が径方向内方に変位され、厚肉部５１と第１の係止孔２２との挿通状態が解除され、その後、操作面５３を前方に押圧すると薄肉部５２が連通孔２４に挿通され、操作部５が前方にスライドされる（図６）。操作部５が前方にスライドされることに伴い、可動部材４及び筆記体３が前方に移動し、筆記体３のペン先３１が軸筒２の前端孔２１より外部に突出された状態となる。その後、操作面５３の押圧操作を解除すると、操作部５の厚肉部５１が第２の係止孔２３に挿通され、弾発体７の後方付勢により、操作部５の厚肉部５１の後面と第２の係止孔２３の後面とが係止され、ペン先突出状態が維持される（図４）。
【００２１】
前記ペン先突出状態（図４）から操作部５の操作面５３を径方向内方に押圧すると、操作部５が径方向内方に変位され、厚肉部５１と第２の係止孔２３との挿通状態が解除され、その後、弾発体７の後方付勢によって、薄肉部５２が連通孔２４に挿通され、操作部５が後方に移動する（図６）。操作部５が後方に移動することに伴い、可動部材４及び筆記体３が後方に移動し、筆記体３のペン先３１が軸筒２の前端孔２１より内部に没入された状態となる。その時、操作部５の厚肉部５１が第１の係止孔２２に挿通され、弾発体７の後方付勢により、操作部５の厚肉部５１の後面と第１の係止孔２２の後面とが係止され、ペン先没入状態が維持される（図１）。
【００２２】
・落下衝撃時
ペン先没入状態において第１の係止孔２２に操作部５の厚肉部５１が挿通されており(図１)、この状態でペン先側を下向きにして落下衝撃が加わった場合、厚肉部５１前面が第１の係止孔２２前面に係止され、可動部材４の前方移動が規制される。それにより、可動部材４に連結された筆記体３の前方移動が阻止され、ペン先３１が軸筒２の前端孔２１より外部に突出されることを確実に回避できる。
【００２３】
本実施の形態の出没式筆記具１は、前記出没機構が、軸筒２内に前後方向に移動可能に収容される可動部材４を備え、前記可動部材４と前記筆記体３とが連結され、前記可動部材４が、径方向の弾発性を有する側壁４１を備え、前記可動部材４の側壁４１外面に径方向外方に突出する操作部５が形成され、前記操作部５が、径方向外端面に形成される操作面５３と、前記操作面５３より径方向内方に形成される薄肉部５２と、前記薄肉部５２の径方向内方に連設される厚肉部５１とを備え、前記薄肉部５２の周方向の肉厚が前記厚肉部５１の周方向の肉厚より小さく形成され、前記軸筒２の側壁が、第１の係止孔２２と、前記第１の係止孔２２より前方に形成される第２の係止孔２３と、前記第１の係止孔２２と前記第２の係止孔２３との間を連通する連通孔２４とを備え、前記連通孔２４の周方向の幅寸法が、記第１の係止孔２２の周方向の幅寸法及び前記第２の係止孔２３の周方向の幅寸法より小さく形成されてなり、ペン先没入状態において、前記第１の係止孔２２に前記操作部５の厚肉部５１が挿通され、ペン先突出状態において、前記第２の係止孔２３に前記操作部５の厚肉部５１が挿通され、ペン先没入状態とペン先突出状態との間の移行過程で、前記操作部５が径方向内方に変位され、前記薄肉部５２が前記連通孔２４に挿通され、前記操作部５が前後方向に移動可能に構成されることにより、出没機構を簡易構造にできるとともに、ペン先没入状態でペン先側を下向きにして落下衝撃が加わった場合でもペン先３１の損傷を確実に回避できる。
【００２４】
本実施の形態の出没式筆記具１は、前記操作部５から前方にクリップ部６が延設されることにより、クリップ部６と操作部５とをそれぞれ別の位置に設ける必要がなくなり、部品数の増加を抑えるとともにスマートな外観性が得られる。
【符号の説明】
【００２５】
１  出没式筆記具
２  軸筒
２１  前端孔
２２  第１の係止孔
２３  第２の係止孔
２４  連通孔
２５  当接部
２６  尾栓
２７  ガイド溝
３  筆記体
３１  ペン先
３２  連結部
３３  肩部
４  可動部材
４１  一方の側壁
４２  他方の側壁
４２ａ  支持部
４３  頂壁
４３ａ  被連結部
５  操作部
５１  厚肉部
５２  薄肉部
５３  操作面
６  クリップ部
６１  玉部
７  弾発体
Ｗ１  第１の係止孔の周方向の幅寸法
Ｗ２  第２の係止孔の周方向の幅寸法
Ｗ３  連通孔の周方向の幅寸法
Ｔ１  厚肉部の周方向の肉厚
Ｔ２  薄肉部の周方向の肉厚
【図１】
2017114087.tif 000003
【図２】
2017114087.tif 000004
【図３】
2017114087.tif 000005
【図４】
2017114087.tif 000006
【図５】
2017114087.tif 000007
【図６】
2017114087.tif 000008
【図７】
2017114087.tif 000009
【図８】
2017114087.tif 000010
【図９】
2017114087.tif 000011